(57)【特許請求の範囲】
【請求項１】
容器口筒部に取着されるキャップ本体と上蓋とからなるヒンジキャップにおいて、
キャップ本体は、内周下部に隔壁を設けた注出筒を具え、
隔壁は、注出口を開口するため、薄肉の弱化部により除去部が設けられ、
注出口には、中心部から上蓋を連設するヒンジと反対側の注出筒内周に近接して延びる広幅注出口部と、中心部から広幅注出口部と直交して両側の注出筒内周に近接して延びる細幅注出口部とが形成されており、
外方向に拡径したラッパ状に形成された注出筒上端には、上蓋を連設するヒンジと反対側の正面側からみて両側であって、細幅注出口部に対応する部位に、先端を外方に向かってとがらせたカラス口形注ぎ口を設けたことを特徴とするヒンジキャップ。
【発明の詳細な説明】
【技術分野】
【０００１】
本発明は、ヒンジキャップ、とくに、内容液の注出量を調整することのできるヒンジキャップに関するものである。
【背景技術】
【０００２】
内容液を充填した容器口筒部に打栓するヒンジキャップにおいて、注出筒から液を適量注出するキャップは、従来より知られている（例えば、特許文献１参照）。
【特許文献１】特開２００３−３２１０４３公報
【発明の開示】
【発明が解決しようとする課題】
【０００３】
しかしながら、上記特許文献１記載のヒンジキャップでは、容器を注出方向に傾けて内容液を注出するが、容器の傾け具合により流れ出る液量を調整するので、容器を傾けすぎると液量が増えてしまい、所望した液量を注出することは難しかった。
また、隔壁の開口部が注出方向で先細りしているので出てくる液の幅を調整することはできるが、注出筒を伝わっている間に広がってしまい、注出筒の先端から液の幅を細くして外に注出させることが難しかった。
【０００４】
本発明は、上記問題を解決することを課題とし、キャップの開閉方向である縦方向、あるいは横方向に容器を傾けることで、外に注出される液の幅を選択して注出させることができるとともに、所望した液量を注出することができるようにしたヒンジキャップを提供することを目的とする。
【課題を解決するための手段】
【０００５】
本発明は、上記の課題を解決するため、ヒンジキャップとして、容器口筒部に取着されるキャップ本体と上蓋とからなるヒンジキャップにおいて、キャップ本体は、内周下部に隔壁を設けた注出筒を具え、隔壁は、注出口を開口するため、薄肉の弱化部により除去部が設けられ、注出口には、中心部から上蓋を連設するヒンジと反対側の注出筒内周に近接して延びる広幅注出口部と、中心部から広幅注出口部と直交して両側の注出筒内周に近接して延びる細幅注出口部とが形成されており、外方向に拡径したラッパ状に形成された注出筒上端には、上蓋を連設するヒンジと反対側の正面側からみて両側であって、細幅注出口部に対応する部位に、先端を外方に向かってとがらせたカラス口形注ぎ口を設けたことを特徴とする構成を採用する。
【発明の効果】
【０００９】
容器口筒部に取着されるキャップ本体と上蓋とからなるヒンジキャップにおいて、キャップ本体は、注出口には、中心部から上蓋を連設するヒンジと反対側の注出筒内周に近接して延びる広幅注出口部と、中心部から広幅注出口部と直交して両側の注出筒内周に近接して延びる細幅注出口部とが形成されており、注出筒の上端の正面側からみて両側には、先端を外方に向かってとがらせたカラス口形注ぎ口が設けられているので、内容液を注出する際に、容器を正面（ヒンジの反対側）、または横方向に選択して傾けることで、液流の幅を選択して注出することができ、注出する量を調整することができるようになった。
また、横方向に注出した場合には、点滴状に注出することができる。
【発明を実施するための最良の形態】
【００１０】
次に、本発明のヒンジキャップの実施形態について、図面を参照して説明する。
図１において、Ａは容器の口筒部に打栓されるキャップ本体、Ｂはキャップ本体ＡにヒンジＣを介して一体成形された上蓋である。
【００１１】
キャップ本体Ａは、図１、２に示すように、内周下部に隔壁１を設けた注出筒２と、注出筒２の外周下端からリング状の底壁３を介して連設され、容器の口筒部に装着される係合筒部４を具えている。
【００１２】
隔壁１には、注出口を開口するため、薄肉の弱化部５により除去部６が設けられており、除去部６の所定の位置には、プルリング７が立設されている。
【００１３】
注出筒２の上端部は、液を注出しやすいように外方向に拡径したラッパ状に形成され、特にヒンジＣの反対側は、正面側注出部８となっている。
注出筒２の上端の両側、キャップ開閉方向に交差する方向に、先端を外方に向かってとがらせたカラス口形に形成されたカラス口形注ぎ口９が設けられている。
【００１４】
係合筒部４は、リング状の上壁１０と、上壁１０の内周縁に垂設され、内周下部に底壁３外周が連設する内筒１１と、上壁１０の外周縁に垂設され、外周上端の所定の位置にヒンジＣが連設される外筒１２と、上壁１０の上部に立設され、上蓋Ｂと係合する蓋係合部１３とからなっている。
外筒１２の内周には、容器の口筒部の外周に係合する係合部１４が設けられている。
【００１５】
上蓋Ｂは、頂壁１５と、頂壁１５の周縁に垂設される外周壁１６とを具えており、頂壁１５下面には、キャップ本体Ａの注出筒２の上端部を除く内周上部に挿入される密封リング１７が垂設されている。
外周壁１６の内周下部には、キャップ本体Ａの係合筒部４の蓋係合部１３と係合する係合部１８が設けられている。
【００１６】
次に、本発明のヒンジキャップの作用効果について説明する。
内容液を充填した容器の口筒部に打栓した後のヒンジキャップの使用にあたっては、まず、上蓋Ｂを開蓋した後、プルリング７を引張り上げて弱化部５を切断し、隔壁１から除去部６を取り除き、開口させる。
【００１７】
内容液を注出する際には、容器をヒンジＣの反対方向に徐々に傾けると、キャップ本体Ａの隔壁１の開口より出た液が、注出筒２のヒンジＣの反対方向の内面を伝い、正面側注出部８から外に注出することができる。
【００１８】
また、ヒンジＣの側方向のいずれかに徐々に傾けると、キャップ本体Ａの隔壁１の開口より出た液が、注出筒２の側方向のいずれかの内面を伝い、いずれかのカラス口形注ぎ口９から外に注出することができる。
【００１９】
カラス口形注ぎ口９は、先端を外方に向かってとがらせたカラス口形に形成されているので、正面側注出部８に比べ、液流を細幅に調整することができる。
さらに、液流を調整することで、点滴状に注出させることもできる。  
【００２０】
本発明のヒンジキャップの注出筒２は、内容液を注出する際に、容器を正面または横方向に選択して傾けることで、液流の幅を選択して注出することができ、注出する量を調整することができる。
【００２１】
また、カラス口形注ぎ口９の実施例として、左右のカラス口形注ぎ口９のカラス口形状を変えて形成することで、容器を右または左に傾けた際での液流の幅を変えることができ、容器を正面、または左、または右方向に選択して傾けることで、液流の幅を選択することができるとともに、液流の注出量を調整することができる。
【００２２】
次に、本発明のキャップ本体Ａの隔壁の除去部の形状の別実施例について説明する。
図３（ａ）に示すように、隔壁２０には、薄肉の弱化部２１により、ヒンジＣ側の上面にプルリング２２を立設するとともに注出筒２の正面側注出部８側に向かい縦方向に延びる縦方部２３ａと、縦方部２３ａの両側からそれぞれのカラス口形注ぎ口９に向かい横方向に延びるとともに、それぞれ縦方部２３ａより細幅の横方部２３ｂとからなる除去部２３が形成されている。
【００２３】
本実施例の除去部２３を隔壁２０から抜栓すると、図３（ｂ）に示すように、隔壁２０には、正面側に広幅注出口部２４ａと、広幅注出口部２４ａに比べ細幅に形成される両側の細幅注出口部２４ｂとを具えた注出口２４が形成される。
【００２４】
内容液を注出する際に、容器をヒンジＣの反対方向に徐々に傾けると、キャップ本体Ａの隔壁２０の注出口２４の広幅注出口部２４ａの先端から液が流れ出し、注出筒２のヒンジＣの反対方向の内面を伝い、正面側注出部８から外に注出することができる。
【００２５】
また、ヒンジＣの側方向のいずれかに徐々に傾けると、隔壁２０のいずれかの細幅注出口部２４ｂの先端から液が流れ出し、注出筒２の側方向のいずれかの内面を伝い、いずれかのカラス口形注ぎ口９から外に注出することができる。
【００２６】
隔壁２０の注出口２４が、広幅注出口部２４ａと、細幅注出口部２４ｂとを具えているので、内容液を注出する際に、注出口２４から流れ出す液の量を調整することができ、また、注出筒２の正面側注出部８とカラス口形注ぎ口９とのいずれでも注出する液流の幅を選択して注出することができる。
【００２７】
上記実施例では、注出筒２の上端両側部にカラス口形注ぎ口９を設けたが、両側でなくても左右のいずれか片側のみに設け、容器を横方向のいずれかに傾けた際に内容液を細幅に注出できるようにしてもよい。
また、図４に示すように、注出筒２の正面側にカラス口形注ぎ口を設け、それに対応して細幅注出口部２４ｂを設けるようにしてもよい。
その場合には、容器を正面側に傾けることによって、注出量を少なく調整することができる。
【００２８】
前記実施例では、正面側注出部８とカラス口形注ぎ口９，および広幅注出口部２４ａと細幅注出口部２４ｂとを直交するように設けたが、細幅注出口部とカラス口形注ぎ口をキャップの開閉方向に斜行する方向に複数個配設してもよく、細幅注出口部をいずれかのカラス口形注ぎ口に選択して設けてもよい。
その場合には、容器の傾け方向を変えることによって注出量と方向を選択することができる。
【産業上の利用可能性】
【００２９】
本発明は、ヒンジキャップにおいて、容器を正面または横方向に選択して傾けることで、液流の幅を選択して注出することができ、注出する量を調整することができるので、各種の内容液の容器のヒンジキャップとして、広く利用することができる。
【図面の簡単な説明】
【００３０】
【図１】本発明ヒンジキャップの説明図で、（ａ）は断面側面図、（ｂ）は断面正面図である。
【図２】キャップ本体の上面図である。
【図３】ヒンジキャップの別実施例の説明図で、（ａ）は上面図、（ｂ）は除去部抜栓時の上面図である。
【図４】ヒンジキャップの他の実施例の上面図である。
【符号の説明】
【００３１】
Ａ          キャップ本体
Ｂ          上蓋
Ｃ          ヒンジ
１、２０    隔壁
２          注出筒
３          底壁
４          係合筒部
５、２１    弱化部
６、２３    除去部
７、２２    プルリング
８          正面側注出部
９          カラス口形注ぎ口
１０        上壁
１１        内筒
１２        外筒
１３        蓋係合部
１４、１８  係合部
１５        頂壁
１６        外周壁
１７        密封リング
２３ａ      縦方部
２３ｂ      横方部
２４        注出口
２４ａ      広幅注出口部
２４ｂ      細幅注出口部
【図１】
0005415021.tif 000002
【図２】
0005415021.tif 000003
【図３】
0005415021.tif 000004
【図４】
0005415021.tif 000005